(57)【要約】  【課題】イレーザＥ及びマーカＭを好適に載置可能とすると共に取り出し易くする。  【解決手段】  筆記用の盤面１を有する筆記用ボードにおいて、前記筆記用の盤面１から落ちる粉を受ける粉受け部５２と、当該粉受け部５２と隔離して設けたイレーザ置き部３と、当該イレーザ置き部３より使用者側の位置に前記粉受け部５２と隔離して設けたマーカ置き部４とを具備し、前記イレーザ置き部３に、イレーザＥの持ち手Ｅ１を使用者側に向けて載置可能に傾斜させた傾斜面３１を形成すると共に、当該イレーザ置き部３や前記マーカ置き部４よりも前記筆記用の盤面１の近傍位置に前記粉受け部５２を設けている。  【選択図】図１
2008120016.tif 000002
【特許請求の範囲】
【請求項１】
筆記用の盤面を有する筆記用ボードにおいて、
前記筆記用の盤面から落ちる粉を受ける粉受け部と、当該粉受け部と隔離して設けたイレーザ置き部と、当該イレーザ置き部より使用者側の位置に前記粉受け部と隔離して設けた筆記具置き部とを具備し、
前記イレーザ置き部に、イレーザの持ち手を使用者側に向けて載置可能に傾斜させた傾斜面を形成すると共に、当該イレーザ置き部や前記筆記具置き部よりも前記筆記用の盤面の近傍位置に前記粉受け部を設けていることを特徴とする筆記用ボード。
【請求項２】
前記筆記用の盤面を保持する枠体の下部を前記粉受け部としていることを特徴とする請求項１記載の筆記用ボード。
【請求項３】
前記粉受け部を前記イレーザ置き部よりも上方に設けていることを特徴とする請求項１又は２記載の筆記用ボード。
【請求項４】
前記枠体の周縁部を前記粉受け部と略同じ断面形状を有する構成としていることを特徴とする請求項１乃至３記載の筆記用ボード。
【請求項５】
前記筆記具置き部と前記イレーザ置き部とを一体に成形していることを特徴とする請求項１乃至４記載の筆記用ボード。
【発明の詳細な説明】
【技術分野】
【０００１】
本発明は、ホワイトボードや黒板など筆記具を用いて筆記可能な筆記用ボードに関するものである。
【背景技術】
【０００２】
従来、ホワイトボードなどの筆記用ボードは、マーカ等の筆記具を用いて筆記可能な筆記用の盤面を具備しており、適時消去して書替え可能とするために筆記具に対応したイレイザを添え付けている。そして、当該イレイザを使用した際に前記筆記用の盤面から落下する粉が床面に落ちないように、当該粉を受ける粉受け部を当該筆記用の盤面の下端に沿って設けている。（例えば、特許文献１を参照）。
【特許文献１】特開２０００−１９０６９０号
【発明の開示】
【発明が解決しようとする課題】
【０００３】
ところで、前記粉受け部は、前記イレイザやマーカなど、ホワイトボードに付帯する部品を置くイレイザ置き部やマーカ置き部としても利用されている。しかし、当該粉受け部には、前記筆記用の盤面から落下する粉が溜まるため、当該粉受け部に置いたものが汚れてしまうという不具合があった。更には、当該粉受け部は、粉を受けるために設計されていることから、使用者が前記イレイザやマーカを取り出しにくい形状となっていた。
【課題を解決するための手段】
【０００４】
そこで本願は、筆記用の盤面を有する筆記用ボードにおいて、前記筆記用の盤面から落ちる粉を受ける粉受け部と、当該粉受け部と隔離して設けたイレーザ置き部と、当該イレーザ置き部より使用者側の位置に前記粉受け部と隔離して設けた筆記具置き部とを具備し、前記イレーザ置き部に、イレーザの持ち手を使用者側に向けて載置可能に傾斜させた傾斜面を形成すると共に、当該イレーザ置き部や前記筆記具置き部よりも前記筆記用の盤面の近傍位置に前記粉受け部を設けていることを特徴とする。
【０００５】
このように、イレーザ置き部や筆記具置き部を、粉受け部と隔離すると共に、当該粉受け部を前記筆記用の盤面の近傍位置に配置することにより、当該イレーザ置き部や筆記具置き部に、前記筆記用の盤面から落下する粉が入ることを防止し、粉にまみれたイレーザや筆記具で使用者の手が汚れるという不具合を解消できる。更には、当該筆記具置き部を前記粉受け部より使用者側の位置に設けているため、筆記具を置き易く且つ取り出し易い。加えて、前記イレーザ置き部に前記傾斜面を形成しているため、当該イレーザ置き部に置いたイレーザを置き易く且つ取り出し易い構成を実現できる。
【０００６】
また、前記筆記用の盤面を保持する枠体の下部を前記粉受け部とすることにより、部品点数を削減できると共に筆記用の盤面に近い位置に前記粉受け部を位置させることができ、落下する粉を好適に受けることが可能となる。
【０００７】
加えて、前記粉受け部を前記イレーザ置き部よりも上方に設けることにより、前記筆記用の盤面から落下する粉を、好適に前記粉受け部にて受けることができる。
【０００８】
更に、前記枠体の周縁部を前記粉受け部と略同じ断面形状を有する構成とすることにより、機能及び意匠的に優れた枠体を実現することができる。
【０００９】
また、前記筆記具置き部と前記イレーザ置き部とを一体に成形することにより、製造を簡易にできると共に前記筆記具置き部と前記イレーザ置き部との位置関係を一意的に設定することが可能となる。
【発明の効果】
【００１０】
以上説明したように、本発明の筆記用ボードによれば、イレーザ置き部や筆記具置き部を、粉受け部と隔離すると共に、当該粉受け部を前記筆記用の盤面の近傍位置に配置することにより、当該イレーザ置き部や筆記具置き部に、前記筆記用の盤面から落下する粉が入ることを防止し、粉にまみれたイレーザや筆記具で使用者の手が汚れるという不具合を解消できる。更には、当該筆記具置き部を前記粉受け部より使用者側の位置に設けているため、筆記具を置き易く且つ取り出し易い。加えて、前記イレーザ置き部に前記傾斜面を形成しているため、当該イレーザ置き部に置いたイレーザを置き易く且つ取り出し易い構成を実現できる。
【発明を実施するための最良の形態】
【００１１】
以下、本発明の一実施例を、図面を参照して説明する。
【００１２】
図１は、本実施形態の筆記用ボードであるホワイトボードＡを示す斜視図であり、図２は、ホワイトボードＡの正面図である。
【００１３】
このホワイトボードＡは、図１、図２に示すように、マーカＭにて筆記可能な筆記用の盤面１と、当該筆記用の盤面１を支持する支持体２とを具備しており、当該支持体２の前面に、ブラケットＢを介して前記筆記用の盤面１を固定している。
【００１４】
筆記用の盤面１は、１１８８ｍｍ×８９０ｍｍの寸法を有し、正面視矩形状を成す横長の平板材であり、その前面に筆記面１Ａを形成している。
【００１５】
支持体２は、鉛直に起立した左右の支柱２１、２２と、当該支柱２１、２２間の上下端を連結する上下横架材２３、２４と、当該上下横架材２３、２４の中間位置に配し前記筆記用の盤面１の下端近傍位置にて左右の支柱２１、２２を連結する中間横架材２５とを有する構造体である。また、前記支柱２１、２２の下端には、前後に伸びる脚羽根２６を設けると共に当該脚羽根２６にキャスタ２７を取り付けて、ホワイトボードＡを床面Ｆに対して移動可能に設置できる構成としている。
【００１６】
このような構成のホワイトボードＡにおいて、本実施形態は、図１乃至図４に示すように、前記筆記用の盤面１から落ちる粉を受ける粉受け部５２と、当該粉受け部５２と隔離して設けたイレーザ置き部３と、当該イレーザ置き部３より使用者側の位置に前記粉受け部５２と隔離して設けたマーカ置き部４とを具備し、前記イレーザ置き部３に、イレーザＥの持ち手Ｅ１を使用者側に向けて載置可能に傾斜させた傾斜面３１を形成すると共に、当該イレーザ置き部３や前記マーカ置き部４よりも前記筆記用の盤面１の近傍位置に前記粉受け部５２を設けている。
【００１７】
更に、本実施形態のホワイトボードＡは、前記筆記用の盤面１の周縁部１ａを保持する保持枠体５を具備しており、当該保持枠体５の下部となる下周縁部５３ｂに前記粉受け部５２を形成している。
【００１８】
以下、各構成について詳述する。
【００１９】
イレーザ置き部３は、図２に示すように、前記筆記用の盤面１の幅寸法（１１８８ｍｍ）よりやや幅広な長手寸法（１２００ｍｍ）を有するものであり、筆記用の盤面１の下前方位置に、当該イレーザＥを収容するための収容空間３Ｓを上方に向けて開口している。
【００２０】
当該収容空間３Ｓの底面３１は、図４に示すように、使用者側から前記筆記用の盤面１側に向って漸次起立する傾斜面３１であり、上述のとおり、イレーザＥの持ち手Ｅ１を使用者側に向けて載置可能に傾斜させている。当該傾斜面３１は、前記収容空間３Ｓの長手方向の全域に亘って延びており、前記筆記用の盤面１の幅方向に沿っていずれの位置にもイレーザＥを置ける構成としている。尚、当該イレーザ置き部３は、前記粉受け部５２にて受けきれなかった粉を受ける補助的な粉受け部としても利用可能に構成している。
【００２１】
マーカ置き部４は、前記イレーザ置き部３と同様に、前記筆記用の盤面１の幅寸法（１１８８ｍｍ）よりやや幅広な長手寸法（１１９２ｍｍ）を有するものであり、筆記用の盤面１の下前方位置に、マーカＭを収容するための収容空間４Ｓを上方に向けて開口している。
【００２２】
その底面４１は、マーカＭの形状に合わせた形状、つまり、下側に向って膨出する部分円弧形状の滑らかな面とする共に、前記イレーザ置き部３より高い位置に設けており、当該マーカＭを載置し易く且つ取り出しやすい構成としている。
【００２３】
更に、当該マーカ置き部４と前記イレーザ置き部３とは、図４に示すようにユニット６として一体に成形しており、当該マーカ置き部４及びイレーザ置き部３を前記筆記用の盤面１の前面から突出する状態に前記支持体２に取り付けている。
【００２４】
詳述すると、前後左右側壁６１、６２、６３、６４と底壁６５によって囲まれる領域に当該マーカ置き部４とイレーザ置き部３を形成すると共に、当該領域内に前記マーカ置き部４とイレーザ置き部３との隔離壁６６を形成している。そして、前記底壁６５の下面を受けるブラケットＢを介して前記中間横架材２５に取着し、前記筆記用の盤面１の下前方位置に固定している。
【００２５】
保持枠体５は、前記筆記用の盤面１の周縁部１ａを嵌合させて保持するための保持部５１と、当該保持部５１の前方位置に設けた前記粉受け部５２と、当該粉受け部５２と略同じ断面形状の溝５３１を有する上下左右の周縁部５３ａ、５３ｂ、５３ｃ、５３ｄと、当該周縁部５３ａ、５３ｂ、５３ｃ、５３ｄの後ろ側に設けた取付溝５４とを具備している。
【００２６】
また、当該保持枠体５は、前記筆記用の盤面１を保持した状態でブラケットＢを介して前記支持体２の前面に取着している。
【００２７】
保持部５１は、前記筆記用の盤面１の周端部１ａと略同様の形状を成すように凹ませた内側に向けて開口する保持溝であり、筆記用の盤面１の全周端に亘って形成している。
【００２８】
粉受け部５２は、前記イレーザ置き部３よりも前記筆記用の盤面１の近傍且つ上方に設けており、当該粉受け部５２の前方と前記イレーザ置き部３の後方の一部をオーバーラップさせている。その粉受け面となる底面５１は、下側に向けて膨出する部分円弧形状の滑らかな面としており、後端を前記筆記用の盤面１の前面に略密接させている。また、長手方向の寸法を前記筆記用の盤面１の幅と略対応させた寸法としている。
【００２９】
周縁部５３ａ、５３ｂ、５３ｃ、５３ｄは、前記筆記用の盤面１の前方に、前記粉受け部５２と連続するように設けた外側に向けて膨出する部分円弧形状の溝５３１を有している。当該溝５３１は、前記粉受け部５２と略同様の断面形状を有している。
【００３０】
更に、当該粉受け部５２を有する下周縁部５３ｂは、当該マーカ置き部４と前記イレーザ置き部３と共にユニット６として一体に成形している。
【００３１】
取付溝５４は、前記上周縁部５３ａに設けた前記ブラケットＢを嵌め合わせる下向き開口溝であり、当該取付溝５４を介して当該保持部材５を前記支持体２に取着している。
【００３２】
以上に説明した通り、本実施形態のホワイトボードＡは、イレーザ置き部３やマーカ置き部４を、粉受け部５２と隔離すると共に、当該粉受け部５２を前記筆記用の盤面１の近傍位置に配置していることにより、当該イレーザ置き部３やマーカ置き部４に、前記筆記用の盤面１から落下する粉が入ることを防止し、粉にまみれたイレーザＥやマーカＭで使用者の手が汚れるという不具合を解消できる。更には、当該マーカ置き部４を前記粉受け部５２より使用者側の位置に設けているため、マーカＭを置き易く且つ取り出し易い。加えて、前記イレーザ置き部３に前記傾斜面を形成しているため、当該イレーザ置き部３に置いたイレーザＥを置き易く且つ取り出し易い構成を実現できる。
【００３３】
また、前記筆記用の盤面１を保持する保持枠体５の下周縁部５３ｂを前記粉受け部５２としていることにより、部品点数を削減できると共に筆記用の盤面１に近い位置に前記粉受け部５２を位置させることができ、落下する粉を好適に受けることが可能となる。
【００３４】
加えて、前記粉受け部５２を前記イレーザ置き部３よりも上方に設けていることで、前記筆記用の盤面１から落下する粉を、好適に前記粉受け部５２にて受けることができる。
【００３５】
更に、前記保持枠体５の周縁部５３ａ、５３ｂ、５３ｃ、５３ｄを前記粉受け部５２と略同じ断面形状の溝５３１を有する構成としているため、機能及び意匠的に優れた保持枠体５を実現することができる。
【００３６】
また、前記マーカ置き部４と前記イレーザ置き部３とを一体に成形しているため、製造を簡易にできると共に前記マーカ置き部４と前記イレーザ置き部３との位置関係を一意的に設定することが可能となる。
【００３７】
なお、本発明は、以上に詳述した実施形態に限られるものではない。
【００３８】
例えば、本実施形態においては、イレーザ置き部３の全域に亘って傾斜面３１を設けているが、一部に当該傾斜面３１を設けても良い。
【００３９】
更に、前記粉受け部５２を前記保持枠体５と別体にて設けることも考えられる。
【００４０】
その他、各部の具体的構成についても上記実施形態に限られるものではなく、本発明の趣旨を逸脱しない範囲で種々変形が可能である。
【図面の簡単な説明】
【００４１】
【図１】本発明の一実施形態を示すホワイトボードＡの全体斜視図。
【図２】同実施形態のホワイトボードＡの正面図。
【図３】同実施形態のホワイトボードＡの側面図。
【図４】同実施形態のホワイトボードＡのＡ−Ａ線部分拡大断面図。
【符号の説明】
【００４２】
Ａ・・・筆記用ボード（ホワイトボード）
Ｅ・・・イレーザ
Ｅ１・・・持ち手
Ｍ・・・筆記具（マーカ）
１・・・筆記用の盤面
３・・・イレーザ置き部
３１・・・傾斜面
４・・・筆記具置き部（マーカ置き部）
５・・・枠体（保持枠体）
５２・・・粉受け部
５３ａ・・・周縁部（上周縁部）
５３ｂ・・・周縁部（下周縁部）
５３ｃ・・・周縁部（左周縁部）
５３ｄ・・・周縁部（右周縁部）
【図１】
2008120016.tif 000003
【図２】
2008120016.tif 000004
【図３】
2008120016.tif 000005
【図４】
2008120016.tif 000006